(57)【要約】【課題】  視聴している表番組と同一ジャンルの裏番組を自動的に記録することのできる番組記録装置を提供すること。【解決手段】  第１のチューナ部１１や第２のチューナ部１３により受信された映像データや音声データを記憶部１７に記録する手段を備えた番組記録装置１０において、番組情報を取得する番組情報取得手段と、取得した番組情報に基づいて、視聴している表番組と同一ジャンルの裏番組を自動検索する第１の裏番組検索手段と、第１の裏番組検索手段により検索された裏番組を記憶部１７に自動記録する第１の裏番組記録手段とを装備する。【選択図】  図１     
2005210499.tif 000002
【特許請求の範囲】
【請求項１】
チューナ部により受信された映像データや音声データを記憶手段に記録する手段を備え
た番組記録装置において、
番組情報を取得する番組情報取得手段と、
取得した番組情報に基づいて、視聴している表番組と同一ジャンルの裏番組を自動検索
する第１の裏番組検索手段と、
該第１の裏番組検索手段により検索された前記裏番組を前記記憶手段に自動記録する第
１の裏番組記録手段とを備えていることを特徴とする番組記録装置。
【請求項２】
前記裏番組の前記記憶手段への自動記録中に前記表番組が切り替えられた場合、前記第
１の裏番組検索手段が、前記表番組の切り替えに追尾して、切り替えられた表番組と同一
ジャンルの裏番組を自動検索するものであり、
前記第１の裏番組記録手段が、切り替えられた表番組と同一ジャンルの裏番組を前記記
憶手段に自動記録するものであることを特徴とする請求項１記載の番組記録装置。
【請求項３】
前記第１の裏番組検索手段が、前記表番組の切替後、所定時間が経過した場合に切り替
えられた表番組と同一ジャンルの裏番組を自動検索するものであることを特徴とする請求
項２記載の番組記録装置。
【請求項４】
前記第１の裏番組記録手段が、前記表番組が切り替えられても自動記録中の裏番組が終
了するまで該裏番組の自動記録を継続するものであることを特徴とする請求項１記載の番
組記録装置。
【請求項５】
前記第１の裏番組記録手段が、電源スイッチがオフされても自動記録中の裏番組が終了
するまで該裏番組の自動記録を継続するものであることを特徴とする請求項１〜４のいず
れかの項に記載の番組記録装置。
【請求項６】
前記裏番組の前記記憶手段への自動記録中に前記表番組がコマーシャルに切り替えられ
た場合、該コマーシャルの間だけ前記裏番組に切り替えて表示するＣＭ時切替表示手段を
備えていることを特徴とする請求項１〜５のいずれかの項に記載の番組記録装置。
【請求項７】
前記ＣＭ時切替表示手段が、前記コマーシャルの間だけ前記裏番組を表示する際、前記
記憶手段に記録された前記裏番組を記録開始位置から順次再生していくものであることを
特徴とする請求項６記載の番組記録装置。
【請求項８】
前記第１の裏番組検索手段により自動検索された前記裏番組が複数ある場合、前記第１
の裏番組記録手段が、所定の優先順位に基づいて、記録する裏番組を決定して自動記録す
るものであることを特徴とする請求項１〜７のいずれかの項に記載の番組記録装置。
【請求項９】
前記裏番組の自動記録中に該裏番組を前記表番組と同時に画面上に表示させる同時表示
手段を備えていることを特徴とする請求項１〜４のいずれかの項に記載の番組記録装置。
【請求項１０】
前記裏番組の自動記録中に前記表番組が終了、又は前記表番組のジャンルが変わった場
合、前記表番組に代えて前記裏番組を全画面表示させる全画面表示切替手段を備えている
ことを特徴とする請求項１〜４のいずれかの項に記載の番組記録装置。
【請求項１１】
取得した番組情報に基づいて、録画予約番組と同一ジャンルの裏番組を自動検索する第
２の裏番組検索手段と、
前記録画予約番組の記録中に前記第２の裏番組検索手段により検索された前記裏番組を
前記記憶手段に自動記録する第２の裏番組記録手段とを備えていることを特徴とする請求
項１記載の番組記録装置。
【請求項１２】
前記第２の裏番組記録手段が、前記録画予約番組と同一ジャンルの裏番組、又はユーザ
ーにより予め選択された裏番組の前記記憶手段への自動記録が可能なものであることを特
徴とする請求項１１記載の番組記録装置。
【請求項１３】
前記記憶手段の記憶残容量に応じて記録データが削除される場合、前記裏番組の記録デ
ータから削除していくデータ削除手段を備えていることを特徴とする請求項１〜１２記載
の番組記録装置。
【請求項１４】
前記記憶手段へ自動記録された裏番組の番組表を生成して表示させる番組表表示手段を
備えていることを特徴とする請求項１〜１３のいずれかの項に記載の番組記録装置。
【請求項１５】
前記番組表表示手段が、所定条件で分類された番組表を生成し、自動記録された裏番組
欄とその他の番組欄との表示形態を変えて表示させるものであることを特徴とする請求項
１４記載の番組記録装置。
【発明の詳細な説明】
【技術分野】
【０００１】
本発明は番組記録装置に関し、より詳細にはチューナ部により受信された映像データや
音声データを記憶手段に記録することのできる番組記録装置に関する。
【背景技術】
【０００２】
従来からテレビジョン放送では、時間帯によって、あるいは大事件等が発生した場合な
どにおいて、複数の放送局で同一ジャンル（例えば、ニュースやスポーツなど）の番組が
放送されることがよくある。複数の放送局で同一ジャンルの番組が放送されている場合で
も、例えばニュース番組などでは、各放送局によって番組の特集内容が異なっていたり、
同じ事件でも異なる角度からの解説がなされることも多い。
【０００３】
したがって、視聴者がさまざまな角度からより多くの情報を得ようとした場合、従来は
、現在視聴している番組と同一ジャンルの番組（いわゆる裏番組）を新聞や雑誌などの番
組表から探し出し、リモコン等を操作して該当するチャンネルに切り替えたり、あるいは
リモコン等を適当に操作して該当すると思われるチャンネルに切り替えたりして、同一ジ
ャンルの裏番組を表示させていた。
【０００４】
しかしながら、現在視聴している番組と同一ジャンルの裏番組をユーザーがいちいち探
し出さなければならず、非常に面倒であるという問題があった。そこで、このような課題
を解決するものとして、下記の特許文献１には、現在視聴している番組と同種の裏番組を
視聴者が容易に認識できるようになるとともに、前記裏番組を容易に選択できるようにし
たテレビジョン受信機が開示されている。
【０００５】
特許文献１記載のテレビジョン受信機によれば、現在視聴している番組と同種の裏番組
を視聴者が容易に認識できるようになるとともに、前記裏番組を容易に選択できるように
なるが、前記裏番組を録画するようなものではないため、前記表番組と前記裏番組とを切
り替えながら見ると、前記裏番組を選択している間、前記表番組の内容を十分把握するこ
とができず、前記裏番組は後でじっくり視聴したいというユーザーの希望に添うものでは
なかった。
【０００６】
したがって、特許文献１記載のテレビジョン受信機において、前記裏番組を録画しよう
とすると、ビデオデッキ等の録画機器を別途操作して、裏番組のチャンネルを設定して録
画を開始し、再び表番組に切り替えるといった、煩雑な録画操作が依然として必要である
という問題があった。
【特許文献１】特開２００１−１３６４５８号公報
【発明の開示】
【課題を解決するための手段及びその効果】
【０００７】
本発明は上記課題に鑑みなされたものであって、視聴している表番組と同一ジャンルの
裏番組を自動的に記録することのできる番組記録装置を提供することを目的としている。
【０００８】
上記目的を達成するために本発明に係る番組記録装置（１）は、チューナ部により受信
された映像データや音声データを記憶手段に記録する手段を備えた番組記録装置において、番組情報を取得する番組情報取得手段と、取得した番組情報に基づいて、視聴している表番組と同一ジャンルの裏番組を自動検索する第１の裏番組検索手段と、該第１の裏番組検索手段により検索された前記裏番組を前記記憶手段に自動記録する第１の裏番組記録手段とを備えていることを特徴としている。
【０００９】
上記番組記録装置（１）によれば、取得した番組情報に基づいて、視聴している表番組
と同一ジャンルの裏番組が自動的に検索され、該検索された前記裏番組が前記記憶手段に
自動的に記録されるので、前記裏番組を記録するためにユーザーが煩雑な操作を行うこと
なく前記裏番組を自動的に記録することができる。
【００１０】
また本発明に係る番組記録装置（２）は、上記番組記録装置（１）において、前記裏番
組の前記記憶手段への自動記録中に前記表番組が切り替えられた場合、前記第１の裏番組
検索手段が、前記表番組の切り替えに追尾して、切り替えられた表番組と同一ジャンルの
裏番組を自動検索するものであり、前記第１の裏番組記録手段が、切り替えられた表番組
と同一ジャンルの裏番組を前記記憶手段に自動記録するものであることを特徴としている
。
【００１１】
上記番組記録装置（２）によれば、前記裏番組の前記記憶手段への自動記録中に前記表
番組が切り替えられた場合でも、該表番組の切り替えに追尾させて、切り替えられた表番
組と同一ジャンルの裏番組が前記記憶手段に記録されるので、常に切り替えられた表番組
と同一ジャンルの裏番組を自動的に記録させることが可能となる。
【００１２】
また本発明に係る番組記録装置（３）は、上記番組記録装置（２）において、前記第１
の裏番組検索手段が、前記表番組の切替後、所定時間が経過した場合に切り替えられた表
番組と同一ジャンルの裏番組を自動検索するものであることを特徴としている。
【００１３】
上記番組記録装置（３）によれば、前記表番組の切替後、所定時間が経過した場合にの
み、切り替えられた表番組と同一ジャンルの裏番組を自動的に記録させることができ、単
に番組内容を確認するための切り替えに伴う裏番組の自動記録など、無駄な記録処理を防
止することができ、ユーザーが視聴したい表番組と同一ジャンルの裏番組のみを確実に記
録することが可能となる。
【００１４】
また本発明に係る番組記録装置（４）は、上記番組記録装置（１）において、前記第１
の裏番組記録手段が、前記表番組が切り替えられても自動記録中の裏番組が終了するまで
該裏番組の自動記録を継続するものであることを特徴としている。
【００１５】
上記番組記録装置（４）によれば、例えば、前記表番組が先に終わった場合等において
も、自動記録中の裏番組が終了するまで記録することができ、前記裏番組の記録中断を防
ぐことができる。                                                                
【００１６】
また本発明に係る番組記録装置（５）は、上記番組記録装置（１）〜（４）のいずれか
において、前記第１の裏番組記録手段が、電源スイッチがオフされても自動記録中の裏番
組が終了するまで該裏番組の自動記録を継続するものであることを特徴としている。
【００１７】
上記番組記録装置（５）によれば、前記電源スイッチがオフされた場合でも、自動記録
中の裏番組が終了するまで該裏番組の自動記録を継続することができ、前記電源スイッチ
のオフ時における前記裏番組の記録中断を防止することができる。
【００１８】
また本発明に係る番組記録装置（６）は、上記番組記録装置（１）〜（５）のいずれか
において、前記裏番組の前記記憶手段への自動記録中に前記表番組がコマーシャルに切り
替えられた場合、該コマーシャルの間だけ前記裏番組に切り替えて表示するＣＭ時切替表
示手段を備えていることを特徴としている。
【００１９】
上記番組記録装置（６）によれば、前記ＣＭ時切替表示手段により前記コマーシャルの
間だけ前記表番組から前記裏番組に自動的に切り替えて表示されるので、ユーザーはコマ
ーシャルの間に前記裏番組を部分的に視聴することができる。
【００２０】
また本発明に係る番組記録装置（７）は、上記番組記録装置（６）において、前記ＣＭ
時切替表示手段が、前記コマーシャルの間だけ前記裏番組を表示する際、前記記憶手段に
記録された前記裏番組を記録開始位置から順次再生していくものであることを特徴として
いる。
上記番組記録装置（７）によれば、前記コマーシャルの間に前記裏番組を順次再生させ
ることができ、ユーザーは前記裏番組の内容を記録順に把握することができる。
【００２１】
また本発明に係る番組記録装置（８）は、上記番組記録装置（１）〜（７）のいずれか
において、前記第１の裏番組検索手段により自動検索された前記裏番組が複数ある場合、
前記第１の裏番組記録手段が、所定の優先順位に基づいて、記録する裏番組を決定して自
動記録するものであることを特徴としている。
【００２２】
上記番組記録装置（８）によれば、前記第１の裏番組検索手段により自動検索された前
記裏番組が複数ある場合でも、所定の優先順位に基づいて、優先順位の高い裏番組を自動
的に決定して記録することができ、優先順位が考慮された裏番組の記録を行うことができ
る。
【００２３】
また本発明に係る番組記録装置（９）は、上記番組記録装置（１）〜（４）のいずれか
において、前記裏番組の自動記録中に該裏番組を前記表番組と同時に画面上に表示させる
同時表示手段を備えていることを特徴としている。
上記番組記録装置（９）によれば、前記裏番組の自動記録中に該裏番組を前記表番組と
同時に画面上に表示させることが可能となり、前記裏番組の表示も簡単に行うことができ
る。
【００２４】
また本発明に係る番組記録装置（１０）は、上記番組記録装置（１）〜（４）のいずれ
かにおいて、前記裏番組の自動記録中に前記表番組が終了、又は前記表番組のジャンルが
変わった場合、前記表番組に代えて前記裏番組を全画面表示させる全画面表示切替手段を
備えていることを特徴としている。
【００２５】
上記番組記録装置（１０）によれば、前記裏番組の自動記録中に前記表番組が終了、又
は前記表番組のジャンルが変わった場合に、前記表番組に代えて前記裏番組を全画面表示
させることができ、同一ジャンルの番組を継続して視聴することが可能になる。
【００２６】
また本発明に係る番組記録装置（１１）は、上記番組記録装置（１）において、取得し
た番組情報に基づいて、録画予約番組と同一ジャンルの裏番組を自動検索する第２の裏番
組検索手段と、前記録画予約番組の記録中に前記第２の裏番組検索手段により検索された
前記裏番組を前記記憶手段に自動記録する第２の裏番組記録手段とを備えていることを特
徴としている。
【００２７】
上記番組記録装置（１１）によれば、前記録画予約番組と同一ジャンルの裏番組が自動
検索され、前記録画予約番組の記録中に前記検索された裏番組が前記記憶手段に自動記録
されるので、前記録画予約番組の記録時においても、該記録画予約番組と同一ジャンルの
裏番組を自動的に記録することができる。
【００２８】
また本発明に係る番組記録装置（１２）は、上記番組記録装置（１１）において、前記
第２の裏番組記録手段が、前記録画予約番組と同一ジャンルの裏番組、又はユーザーによ
り予め選択された裏番組の前記記憶手段への自動記録が可能なものであることを特徴とし
ている。
【００２９】
上記番組記録装置（１２）によれば、前記録画予約番組と同一ジャンルの裏番組、又は
ユーザーにより予め選択された裏番組の前記記憶手段への自動記録が可能となるので、記
録する裏番組の選択肢を増やすことができ、ユーザーの利便性を高めることができる。
【００３０】
また本発明に係る番組記録装置（１３）は、上記番組記録装置（１）〜（１２）のいず
れかにおいて、前記記憶手段の記憶残容量に応じて記録データが削除される場合、前記裏
番組の記録データから削除していくデータ削除手段を備えていることを特徴としている。
【００３１】
上記番組記録装置（１３）によれば、前記記憶手段の記憶残容量に応じて記録データが
削除される場合、前記裏番組の記録データから削除されるので、通常記録されたデータ、
例えば、録画設定して記録されたデータなどは優先して残すことができ、通常記録された
データが削除されることを防ぐことができる。
【００３２】
また本発明に係る番組記録装置（１４）は、上記番組記録装置（１）〜（１３）のいず
れかにおいて、前記記憶手段へ自動記録された裏番組の番組表を生成して表示させる番組
表表示手段を備えていることを特徴としている。
上記番組記録装置（１４）によれば、前記記憶手段へ自動記録された裏番組の番組表を
生成して表示させることができ、自動記録された裏番組をユーザーに把握させることがで
きる。                                                                          
【００３３】
また本発明に係る番組記録装置（１５）は、上記番組記録装置（１４）において、前記
番組表表示手段が、所定条件で分類された番組表を生成し、自動記録された裏番組欄とそ
の他の番組欄との表示形態を変えて表示させるものであることを特徴としている。
【００３４】
上記番組記録装置（１５）によれば、所定条件（例えば、日時、又はジャンルなど）で
分類された番組表を生成し、自動記録された裏番組欄に録画マークを付したり、裏番組欄
の背景色を特定の色に変えたりして、その他の番組欄との表示形態を変えて表示させるこ
とにより、自動記録された裏番組とその他の番組との違いを一目で分かるようにすること
ができる。                                                                      
【発明を実施するための最良の形態】
【００３５】
以下、本発明に係る番組記録装置の実施の形態を図面に基づいて説明する。図１は、実
施の形態に係る番組記録装置の要部を概略的に示したブロック図である。
番組記録装置１０は、第１チューナ部１１、第１デコード部１２、第２チューナ部１３
、第２デコード部１４、処理部１５、制御部１６、記憶部１７、及び操作部１８を含んで
構成されており、アンテナ１９を介してディジタル放送を受信することができるようにな
っている。
【００３６】
第１チュ−ナ部１１、第２チューナ部１３は、制御部１６からの制御信号に基づいて、
アンテナ１９で受信した受信電波からユ−ザの希望する放送波をそれぞれチュ−ニングし
て増幅し、チュ−ニングされた受信波を復調してディジタル信号を出力するもので、高周
波増幅回路、同調回路、復調回路等（いずれも図示せず）を含んで構成されている。なお
、本実施の形態では、第１チュ−ナ部１１で表番組（ディスプレイ２０に通常表示される
視聴番組や録画予約された番組）が受信され、第２チュ−ナ部１３で裏番組が受信される
ように構成されている。
【００３７】
第１デコード部１２、第２デコード部１４は、第１チュ−ナ部１１、第２チューナ部１
３でそれぞれ復調されたディジタル信号（ＭＰＥＧ−ＴＳ（Transport Stream) ）をデコ
−ド（解読）、つまり、放送局での変調前に伝送エラ−防止処理、圧縮処理、結合処理等
が施されたディジタル信号を元のディジタル信号に戻し、音声デ−タ、映像データ、番組
情報等を含むデータ放送のマルチメディアデータのデコードを行い、音声デ−タ、映像デ
ータ、マルチメディアデータに施された伝送エラ−防止処理、圧縮処理等に対応したデ−
タエラ−の復元処理、伸張処理等のディジタル演算処理を行い、本来の音声デ−タ、映像
データ、データ放送用データに復元し、処理部１５に出力するものであり、論理回路、デ
ィジタルシグナルプロセッサ等（いずれも図示せず）により構成されている。
【００３８】
処理部１５は、第１デコ−ド部１２、第２デコード部１４から出力された映像信号から
画像データを生成したり、番組情報（番組名、番組内容、放送日時、ジャンルなどの情報
を含む）などのデ−タ放送のデ−タ信号や制御部１６から供給される描画処理命令などに
基づいて、文字デ−タの描画処理、及び文字図形や静止画等の他の画像デ−タとの合成処
理等を行って画像データを生成し、処理部１５に内蔵されているＶＲＡＭ（図示せず）に
書き込み、このＶＲＡＭに書き込まれた画像デ−タを液晶表示装置等から構成されるディ
スプレイ２０に出力する処理を行ったり、第１デコ−ド部１２、第２デコード部１４から
出力された音声信号のディジタル／アナログ変換、電力増幅処理を行い、スピ−カ２１か
ら音声を出力させるための処理を行うもので、描画プロセッサ、音声処理回路等（いずれ
も図示せず）を含んで構成されている。
【００３９】
制御部１６は、ＣＰＵ、ＲＡＭ、ＲＯＭ（いずれも図示せず）を含むマイクロコンピュ
ータから構成されており、番組記録装置１０の各部の制御、すなわち、第１チューナ部１
１や第２チューナ部のチューニングの制御、処理部１５で行われる映像データや番組情報
等の各種画像の提示処理の制御、音声データの出力制御、さらに、取得した番組情報に基
づいて、視聴番組（表番組）や録画予約番組と同一ジャンルの裏番組を自動検索し、該検
索された裏番組を記憶部１７に自動記録する処理の制御などを行うようになっている。な
お、処理部１５を通じて取得した番組情報は、ジャンル別に整理され、前記検索処理が行
いやすい形に加工され、記憶部１７に格納されるようになっている。
【００４０】
前記ＲＯＭには、制御部１６や処理部１５で実行される各種の処理プログラム、すなわ
ち、映像や番組表など各種画像の提示処理プログラム、表番組や裏番組の記憶部１７への
各種記録（録画・録音）処理プログラム、さらに番組表やデータ放送用の文字データなど
が格納され、前記ＲＡＭには、各種の制御に使用される設定データ等が記憶されるように
なっている。
【００４１】
また、番組記録装置１０では、ディスプレイ２０上に表示された画面を通じて、各種の
モード設定が行えるようになっており、設定された情報は制御部１６内のＲＡＭに記憶さ
れるようになっている。例えば、図２に示したような「初期設定メニュー」画面を通じて
、視聴している表番組と同一ジャンルの裏番組を自動記録する「裏録モード」、表番組の
切替に追尾して、切り替えられた表番組と同一ジャンルの裏番組を自動記録する「自動追
尾記録モード」、電源スイッチがオフされても自動記録中の裏番組が終了するまで該裏番
組の自動記録を継続させる「電源オフ時裏録継続モード」、裏番組の自動記録（裏録）中
に表番組がコマーシャル（ＣＭ）に入った場合、ＣＭの間だけ画面表示を裏番組に切り替
える「ＣＭ時切替モード」、裏録時に裏番組を子画面（Picture in Picture）表示する「
子画面表示モード」、裏録時に表番組が終了した場合に裏番組を全画面表示に切り替える
「番組終了時切替モード」の設定、すなわち各モードを有効にするか否かの設定を行うこ
とができるようになっている。
【００４２】
なお、「自動追尾記録モード」、「電源オフ時裏録継続モード」、「ＣＭ時切替モード
」、「子画面表示モード」、「番組終了時切替モード」は、「裏録モード」がＯＮ（すな
わち、裏録モードが有効）のときに有効となるようになっている。また、「自動追尾記録
モード」がＯＦＦ設定の場合は、表番組が切り替えられても自動記録中の裏番組が終了す
るまで該裏番組の記録を継続する設定になっている。
【００４３】
また、「自動追尾記録モード」に付随して、自動追尾を開始するまでの時間も設定する
ことができるようになっている。また、「ＣＭ時切替モード」に付随して、ＣＭ時切替モ
ードがＯＮ設定の場合における裏番組の表示方法を設定することができるようになってお
り、この場合、現在時における裏番組の内容を表示する「リアルタイム表示」、又は記憶
部１７に記録された裏番組を記録開始位置から順次再生していく「タイムシフト表示」の
選択が行えるようになっている。
【００４４】
また、記憶部１７は、大容量の書替可能な記憶装置、例えば、ハードディスク（ＨＤＤ
）やＤＶＤ−ＲＡＭ装置などから構成されており、制御部１６が行う記録（録画・録音）
処理により、第１のチューナ部１１や第２チューナ部１２で受信して処理部１５で処理さ
れた番組データ（映像・音声データ）が記録されるようになっている。なお、記憶部１７
の空容量が所定容量以下になると、第２チューナ部１２で受信して処理された裏番組の記
録データのうち記録日時の古いものから順に削除されるようになっている。
【００４５】
また、記憶部１７には、取得した番組情報や裏録番組の情報など、各種の番組表を生成
するための番組表データや、裏番組の自動記録処理において、自動検索された裏番組が複
数ある場合に記録する裏番組を決定するための優先順位テーブルなどが格納されるように
なっている。
【００４６】
図３は、記憶部１７に格納されている優先順位テーブルの一例を示しており、優先順位
テーブルには、ニュースやスポーツなどの各ジャンル毎に過去の視聴履歴（回数）に基づ
いてランク付けされたチャンネルデータが登録されるようになっており、制御部１６は、
各ジャンル毎に視聴履歴をカウントするように構成されている。また、別の優先順位テー
ブルとしては、例えば、図４に示したような「裏番組記録優先順位設定」画面を通じて、
各ジャンル毎にチャンネルの優先順位が登録されたテーブルを用いるようにしてもよい。
さらに、曜日別、時間帯別など詳細な条件に基づいて優先順位テーブルが作成されるよう
になっていてもよい。
【００４７】
操作部１８は、リモコンと、リモコンインターフェース（リモコンＩ／Ｆ）と（いずれ
も図示せず）を含んで構成されており、リモコンからの入力信号を取り込んで、該入力信
号に応じた処理が制御部１６で行われるようになっており、ユ−ザーはリモコンを操作す
ることにより番組記録装置１０に所望の動作を行わせることが可能となっている。また、
番組記録装置１０にモデム等の通信手段を接続できる通信Ｉ／Ｆを設けて、例えば、イン
タ−ネット上から番組情報等を取得する構成としてもよい。
【００４８】
また、操作部１８を構成するリモコンには番組表ボタン（図示せず）が設けられており
、番組表ボタンが入力されると、まず図５（ａ）に示す通常の番組表が表示され、この番
組表画面に表示された「裏録番組」ボタンが入力されると、図５（ｂ）に示す裏録番組表
が表示される。この裏録番組表画面を通じて、裏録された番組を時系列に確認することが
できるようになっている。また、図５（ｂ）の裏録番組表画面に表示された「ジャンル別
」ボタンが入力されると、図５（ｃ）に示すような裏録番組表が表示される。この裏録番
組表画面を通じて、裏録された番組をジャンル別に確認することができるようになってい
る。なお、番組表の表示形態は、図５（ａ）〜（ｃ）に示した表示形態の他に、例えば、
図６に示した表示形態の番組表を表示させてもよく、図６では、裏録された番組欄の背景
が、特定の色で表示されるようになっており、通常の番組表の中で裏録番組を把握するこ
とができるようになっている。また、背景色を変化させる代わりに、裏録されたマークを
番組欄に表示するようにしてもよい。
【００４９】
次に実施の形態に係る番組記録装置１０における制御部１６の行う処理動作を図７に示
したフロ−チャ−トに基づいて説明する。なお本処理動作は、現在視聴している番組（表
番組）が切り替えられた場合に実行される。
【００５０】
まず、ステップＳ１では、表番組の切替があったか否かを判断し、表番組の切替がなか
ったと判断すればステップＳ１に戻る一方、表番組の切替があったと判断すればステップ
Ｓ２に進む。ステップＳ２では、図２に示した初期設定メニューにおける「裏録モード」
がＯＮに設定されているか否かを判断し、「裏録モード」がＯＮ設定されていないと判断
すれば処理を終了する一方、「裏録モード」がＯＮ設定されていると判断すればステップ
Ｓ３に進む。ステップＳ３では、切り替え前の表番組と同一ジャンルの裏番組が現在自動
記録されているか、すなわち現在裏録中か否かを判断し、現在裏録中であると判断すれば
ステップＳ４に進む。
【００５１】
ステップＳ４では、図２に示した初期設定メニューにおける「自動追尾記録モード」が
ＯＮに設定されているか否かを判断し、「自動追尾記録モード」がＯＮ設定であると判断
すればステップＳ５に進む。ステップＳ５では、表番組が切り替えられた後、所定時間（
ｘ分）が経過したか否か、すなわち、同一番組をｘ分以上受信したか否かを判断し、同一
番組をｘ分以上受信していないと判断すればステップＳ５に戻る一方、同一番組をｘ分以
上受信したと判断すればステップＳ６に進む。ステップＳ６では、現在の裏録を停止させ
る処理を行い、その後ステップＳ８に進む。なお、所定時間（ｘ分）は、図２に示した初
期設定メニュー画面を通じて設定される。
【００５２】
一方ステップＳ４において「自動追尾記録モード」がＯＮ設定ではないと判断すればス
テップＳ７に進み、ステップＳ７では、現在裏録中の裏番組が終了するまで記録を継続す
る処理、すなわち裏録継続処理を行い、その後ステップＳ１５に進む。
【００５３】
また一方、ステップＳ３において現在裏録中ではないと判断すればステップＳ８に進む
。ステップＳ８では、取得した番組情報に基づいて、現在視聴している表番組と同一ジャ
ンルの裏番組を検索する処理を行い、その後ステップＳ９に進む。
【００５４】
ステップＳ９では、現在視聴している表番組と同一ジャンルの裏番組があったか否かを
判断し、同一ジャンルの裏番組がなかったと判断すれば処理を終了する一方、同一ジャン
ルの裏番組があったと判断すればステップＳ１０に進む。
【００５５】
ステップＳ１０では、同一ジャンルの裏番組が１つか否かを判断し、同一ジャンルの裏
番組が１つであると判断すればステップＳ１１に進み、ステップＳ１１では、該当する裏
番組を受信して、該裏番組の映像・音声データを記憶部１７に記録する処理を行い、その
後ステップＳ１５に進む。
【００５６】
一方ステップＳ１０において、同一ジャンルの裏番組が１つではない、すなわち複数あ
ると判断すればステップＳ１２に進み、ステップＳ１２では、記憶部１７から図３に示し
た優先順位テーブルを読み出し、次のステップＳ１３では、優先順位テーブルに基づいて
、記録する裏番組を決定する処理、すなわち同一ジャンルで優先順位が高い方のチャンネ
ルの番組を決定する処理を行い、次のステップＳ１４では、決定した裏番組を受信して、
該裏番組の映像・音声データを記憶部１７に記録する処理を行い、その後ステップＳ１５
に進む。
【００５７】
ステップＳ１５では、裏番組が終了したか否かを判断し、裏番組が終了していないと判
断すればステップＳ１５に戻る一方、裏番組が終了したと判断すればステップＳ１６に進
む、ステップＳ１６では、裏番組の記録を残すか否かを確認する記録確認メッセージを表
示する処理を行い、その後ステップＳ１７に進む。ステップＳ１７では、記録を残すか否
か、すなわち、記録ＯＫの入力があったか否かを判断し、記録ＯＫの入力があったと判断
すれば処理を終了する、一方、記録ＯＫの入力がなかったと判断すればステップＳ１８に
進む。ステップＳ１８では、記録した裏番組のデータを消去する処理を行い、その後処理
を終了する。
【００５８】
なお、上記処理動作では、「裏録モード」がＯＮ設定され、現在裏録中でない場合に、
切り替えられた表番組と同一ジャンルの裏番組が自動的に記録されるようになっているが
、別の実施の形態では、操作部１８を構成するリモコンに、一回の入力操作で裏録を開始
させるための裏録開始ボタンを設けて、該裏録開始ボタン操作を検出すると、切り替えら
れた表番組と同一ジャンルの裏番組の記録を開始させるようにしてもよい。
【００５９】
また、上記処理動作では、「自動追尾記録モード」がＯＮ設定の場合、現在の裏録を停
止した後に、切り替えられた番組と同一ジャンルの裏番組の記録を行うようになっている
が、別の実施の形態では、「自動追尾記録モード」がＯＮ設定の場合、現在の裏録を停止
する前に、切り替えられた番組と同一ジャンルの裏番組の記録を開始して（この段階では
裏番組が２つ記録される）、切り替えられた番組の受信がｘ分以上経過した場合に切替前
から継続している裏録を停止するようにしてもよい。
【００６０】
次に実施の形態に係る番組記録装置１０における制御部１６の行う別の処理動作を図８
に示したフロ−チャ−トに基づいて説明する。なお、本処理動作は、裏番組の自動記録中
に番組記録装置１０の操作部１８を構成するリモコンに設けられた電源スイッチがオフさ
れた場合に実行される。
【００６１】
まずステップＳ２１では、電源スイッチがオフされたか否かを判断し、電源スイッチが
オフされていないと判断すればステップＳ２１に戻る一方、電源スイッチがオフされたと
判断すればステップＳ２２に進む。ステップＳ２２では、図２に示した初期設定メニュー
画面における「電源オフ時裏録継続モード」がＯＮに設定されている否かを判断し、「電
源オフ時裏録継続モード」がＯＮ設定されていないと判断すればステップＳ２３に進み、
ステップＳ２３では、裏録を停止して、全電源をオフにする処理を行い、その後処理を終
了する。
【００６２】
一方ステップＳ２２において、「電源オフ時裏録継続モード」がＯＮ設定されていると
判断すればステップＳ２４に進み、ステップＳ２４では、裏録を継続して、他の電源をオ
フにする処理を行い、その後ステップＳ２５に進む。ステップＳ２５では、裏録が完了し
たか否かを判断し、裏録が完了していないと判断すれば裏録を継続する一方、裏録が完了
したと判断すればステップＳ２６に進む。ステップＳ２６では、裏録電源をオフにする処
理を行い、その後処理を終了する。
【００６３】
次に実施の形態に係る番組記録装置１０における制御部１６の行う表示処理動作を図９
に示したフロ−チャ−トに基づいて説明する。なお、本処理動作は、裏録中に現在視聴し
ている表番組がコマーシャル（ＣＭ）に入った場合に実行される。
【００６４】
まず、ステップＳ３１では、表番組がＣＭに入ったか否かを判断し、ＣＭに入ってない
と判断すればステップＳ３１に戻る一方、ＣＭに入ったと判断すればステップＳ３２に進
む。ステップＳ３２では、図２に示した初期設定メニュー画面における「ＣＭ時切替モー
ド」がＯＮに設定されているか否かを判断し、「ＣＭ時切替モード」がＯＮ設定されてい
ないと判断すれば処理を終了する一方、「ＣＭ時切替モード」がＯＮ設定されていると判
断すればステップＳ３３に進む。
【００６５】
ステップＳ３３では、図２に示した初期設定メニュー画面におけるＣＭ時の裏番組の表
示方法が、「リアルタイム表示」設定か、「タイムシフト表示」設定かを判断し、「リア
ルタイム表示」設定であると判断すればステップＳ３４に進み、ステップＳ３４では、裏
番組に切り替えてリアルタイム表示する処理を行い、その後ステップＳ３５に進み、ステ
ップＳ３５では、ＣＭが終了したか否かを判断し、ＣＭが終了していないと判断すればス
テップＳ３５に戻る一方、ＣＭが終了したと判断すればステップＳ３９に進む。
【００６６】
一方ステップＳ３３において、「タイムシフト表示」設定であると判断すればステップ
Ｓ３６に進み、ステップＳ３６では、裏番組に切り替えてタイムシフト表示、すなわち、
記憶部１７に記憶されている裏番組データを記録開始位置から順次再生していく処理を行
い、その後ステップＳ３７に進む。ステップＳ３７では、ＣＭが終了したか否かを判断し
、ＣＭが終了していないと判断すればステップＳ３７に戻る一方、ＣＭが終了したと判断
すればステップＳ３８に進む。ステップＳ３８では、再生を停止して、再生停止ポイント
を記憶し、ステップＳ３９に進む。ステップＳ３９では、表番組に切り替えて表示する処
理を行い、その後処理を終了する。
【００６７】
次に実施の形態に係る番組記録装置１０における制御部１６の行う別の表示処理動作を
図１０に示したフロ−チャ−トに基づいて説明する。なお、本処理動作は、裏録開始時に
実行される。
【００６８】
まず、ステップＳ４１では、裏録が開始されたか否かを判断し、裏録が開始されていな
いと判断すればステップＳ４１に戻る一方、裏録が開始されたと判断すればステップＳ４
２に進む。ステップＳ４２では、図２に示した初期設定メニュー画面における「子画面表
示モード」がＯＮに設定されているか否かを判断し、「子画面表示モード」がＯＮ設定さ
れていないと判断すれば処理を終了する一方、「子画面表示モード」がＯＮ設定されてい
ると判断すればステップＳ４３に進む。
【００６９】
ステップＳ４３では、「子画面表示モード」が、「自動表示」設定か、「ボタン操作表
示」設定か（図２参照）を判断し、「ボタン操作表示」設定であると判断すればステップ
Ｓ４４に進む。ステップＳ４４では、裏番組の子画面表示操作、すなわち操作部１８を構
成するリモコンの子画面表示ボタンの入力があったか否かを判断し、裏番組の子画面表示
操作がなかったと判断すれば処理を終了する一方、裏番組の子画面表示操作があったと判
断すればステップＳ４５に進む。
【００７０】
一方ステップＳ４３において、「自動表示」設定であると判断すればステップＳ４５に
進み、ステップＳ４５では、裏番組を子画面表示する処理を行い、その後ステップＳ４６
に進む。ステップＳ４６では、子画面表示の停止操作があったか否かを判断し、子画面表
示の停止操作がなかったと判断すればステップＳ４７に進む。ステップＳ４７では、表番
組又は裏番組が終了したか否かを判断し、表番組及び裏番組が終了していないと判断すれ
ば、ステップＳ４６に戻る一方、表番組又は裏番組が終了したと判断すればステップＳ４
８に進む。
【００７１】
ステップＳ４８では、終了したのが表番組か裏番組かを判断し、表番組であると判断す
ればステップＳ４９に進む。ステップＳ４９では、図２に示した初期設定メニュー画面に
おける「番組終了時切替モード」がＯＮに設定されているか否かを判断し、「番組終了時
切替モード」がＯＮ設定されていないと判断すれば処理を終了する一方、「番組終了時切
替モード」がＯＮ設定されていると判断すればステップＳ５０に進む。ステップＳ５０で
は、子画面表示されていた裏番組を画面全体に表示させる処理を行い、その後処理を終了
する。
【００７２】
一方ステップＳ４６において、子画面表示の停止操作があったと判断した場合、又はス
テップＳ４８において、終了したのが裏番組であると判断した場合には、ステップＳ５１
に進む。ステップＳ５１では、子画面表示を停止する処理を行い、その後処理を終了する
。
【００７３】
次に実施の形態に係る番組記録装置１０における制御部１６の行う番組表表示処理動作
を図１１に示したフロ−チャ−トに基づいて説明する。なお、本処理動作は、番組表表示
操作があった場合に実行される。
【００７４】
まず、ステップＳ６１では、番組表表示操作があったか、すなわち、操作部１８を構成
するリモコンの番組表ボタンの入力があったか否かを判断し、番組表ボタンの入力がなか
ったと判断すれば処理を終了する一方、番組表ボタンの入力があったと判断すればステッ
プＳ６２に進む。
【００７５】
ステップＳ６２では、取得した番組情報に基づいて番組表を生成する処理を行い、その
後ステップＳ６３に進む。ステップＳ６３では、図５（ａ）に示した通常の番組表を表示
する処理を行い、その後ステップＳ６４に進む。ステップＳ６４では、通常の番組表画面
に表示された「裏録番組」ボタンの入力があったか否かを判断し、「裏録番組」ボタンの
入力がなかったと判断すれば処理を終了する一方、「裏録番組」ボタンの入力があったと
判断すればステップＳ６５に進む。ステップＳ６５では、裏録番組の番組表（図５（ｂ）
、（ｃ）参照）を表示する処理を行い、その後処理を終了する。
【００７６】
上記実施の形態に係る番組記録装置１０によれば、「裏録モード」がＯＮ設定されてい
る場合は、取得した番組情報に基づいて、視聴している表番組と同一ジャンルの裏番組が
自動的に検索され、該検索された前記裏番組が記憶部１７に自動的に記録されるので、前
記裏番組を記録するために煩雑な操作を行うことなく前記裏番組を自動的に記録すること
ができる。
【００７７】
また、自動検索された前記裏番組が複数ある場合でも、図３に示したような優先順位テ
ーブルの優先順位に基づいて、優先順位の高い裏番組を自動的に決定して記録することが
でき、優先順位が考慮された裏番組の記録を行うことができる。また、過去の視聴履歴（
回数）に基づいて前記優先順位テーブルの順位が設定されるので、過去の視聴履歴を反映
させた裏番組の自動記録が可能になる。また、図４に示したような「裏番組記録優先順位
設定」画面を通じて番組のジャンル毎に優先順位の設定が行えるようにすれば、各ジャン
ルに対応させた優先順位により、より的確な裏番組を記録させることも可能となる。
また、前記裏番組の終了時に、該裏番組の記録を残すか否かをユーザーに確認させるこ
ともでき、不必要な前記裏番組の記録データの蓄積を防ぐことができる。
【００７８】
また、操作部１８を構成するリモコンに裏番組記録操作ボタンを設けておけば、１回の
釦操作で、しかもユーザーの所望とするタイミングで、速やかに前記裏番組の記憶部１７
への自動記録を開始させることができ、ユーザーの使い勝手を向上させることができる。
【００７９】
また、「自動追尾記録モード」がＯＮ設定されている場合は、前記裏番組の記憶部１７
への自動記録中に表番組が切り替えられた場合でも、該表番組の切り替えに追尾させて、
切り替えられた表番組と同一ジャンルの裏番組を記憶部１７に自動的に記録させることが
でき、なお、表番組が切り替えられた後、所定時間が経過した場合にのみ、切り替えられ
た表番組と同一ジャンルの裏番組を記録させることもでき、単に番組内容を確認するため
の切り替えに伴う裏番組の自動記録など、無駄な記録処理を防止することができ、ユーザ
ーが視聴したい表番組と同一ジャンルの裏番組のみを確実に記録することが可能となる。
また、「自動追尾記録モード」がＯＦＦ設定されている場合は、表番組が先に終わった場
合等においても、自動記録中の裏番組が終了するまで記録させることができ、前記裏番組
の記録中断を防ぐことができる。
【００８０】
また、「電源オフ時裏録継続モード」がＯＮ設定されている場合は、裏録中に電源スイ
ッチがオフされた場合でも、自動記録中の裏番組が終了するまで該裏番組の自動記録を継
続することができ、電源スイッチのオフ時における前記裏番組の記録中断を防止すること
ができる。
【００８１】
また、「ＣＭ時切替モード」がＯＮ設定されている場合は、コマーシャル（ＣＭ）の間
だけ前記裏番組が自動的に切り替えて表示されるので、ユーザーはＣＭの間に前記裏番組
の内容を把握することが可能になる。また、コマーシャルの間に前記裏番組の内容をリア
ルタイム表示させるか、タイムシフト表示させるのかを、番組内容等に合わせて任意に設
定することができる。
【００８２】
また、「子画面表示モード」がＯＮ設定されている場合は、前記裏番組の自動記録中に
該裏番組を子画面にして表番組と同時にディスプレイ２０上に表示させることが可能とな
り、前記裏番組の表示を自動的に行わせることもできる。
【００８３】
また、「番組終了時切替モード」がＯＮ設定されている場合は、前記裏番組の自動記録
中に表番組が終了、又は表番組のジャンルが変わった場合に、該表番組に代えて前記裏番
組を全画面表示させることができ、同一ジャンルの番組を継続して視聴することが可能に
なる。
【００８４】
また、記憶部１７へ自動記録された裏番組の番組表を生成して表示させることができ、
自動記録された裏番組をユーザーに把握させることができ、所定条件（例えば、日時やジ
ャンルなど）で分類された裏録番組表を生成し、自動記録された裏番組欄に録画マークを
付したり、裏番組欄の背景色を特定の色に変えたりして、その他の番組欄との表示形態を
変えて表示させることにより、自動記録された裏番組とその他の番組との違いを一目で分
かるように表示させることができる。
【００８５】
なお、上記実施の形態に係る番組記録装置１０では、現在視聴している表番組の切替が
あった場合に実行される場合について説明したが、別の実施の形態では、録画予約番組の
録画が開始された場合に略同様な処理により、録画予約番組と同一ジャンルの裏番組を記
憶部１７に記憶させることもできる。また、記憶部１７に記憶させる裏番組をユーザーが
選択できる機能を設けることにより、録画予約番組と同一ジャンルの裏番組ではなく、ユ
ーザーが選択した裏番組を記録させる構成としてもよい。
【００８６】
係る構成によれば、前記録画予約番組の記録時においても、該記録画予約番組と同一ジ
ャンルの裏番組を自動的に記録することができる。また、前記録画予約番組と同一ジャン
ルの裏番組、又はユーザーにより予め選択された裏番組の記憶部１７への自動記録が可能
となるので、記録する裏番組の選択肢を増やすことができ、ユーザーの利便性を高めるこ
とができる。
【００８７】
また、上記実施の形態に係る番組記録装置１０では、第１チュ−ナ部１１で表番組が受
信され、第２チュ−ナ部１３で裏番組が受信されるように構成されている場合について説
明したが、１つのチューナ部で多番組が受信される場合にも同様に適用することができる
。
【図面の簡単な説明】
【００８８】
【図１】本発明の実施の形態に係る番組記録装置の要部を概略的に示したブロック図である。
【図２】ディスプレイに表示される初期設定メニュー画面の表示例を示す図である。
【図３】記憶部に記憶されている優先順位テーブルの一例を示す図である。
【図４】ディスプレイに表示される裏番組記録優先順位設定画面の表示例を示す図である。
【図５】（ａ）〜（ｃ）はディスプレイに表示される番組表画面の表示例を示す図である。
【図６】ディスプレイに表示される番組表画面の別の表示例を示す図である。
【図７】実施の形態に係る番組記録装置における制御部の行う処理動作を示したフローチャートである。
【図８】実施の形態に係る番組記録装置における制御部の行う別の処理動作を示したフローチャートである。
【図９】実施の形態に係る番組記録装置における制御部の行う表示処理動作を示したフローチャートである。
【図１０】実施の形態に係る番組記録装置における制御部の行う別の表示処理動作を示したフローチャートである。
【図１１】実施の形態に係る番組記録装置における制御部の行う番組表表示処理動作を示したフローチャートである。
【符号の説明】
【００８９】
１０  番組記録装置
１１  第１チューナ部
１３  第２チューナ部
１６  制御部
１７  記憶部
１８  操作部
【図１】
2005210499.tif 000003
【図２】
2005210499.tif 000004
【図３】
2005210499.tif 000005
【図４】
2005210499.tif 000006
【図５】
2005210499.tif 000007
【図６】
2005210499.tif 000008
【図７】
2005210499.tif 000009
【図８】
2005210499.tif 000010
【図９】
2005210499.tif 000011
【図１０】
2005210499.tif 000012
【図１１】
2005210499.tif 000013